【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
複数の遊技機が設置される遊技機設置島の下部に配設され、前記遊技機による遊技に使用する遊技球を貯留する下部タンクと、
前記下部タンクに貯留された遊技球を前記遊技機設置島の上部に揚送するとともに、該揚送した遊技球を揚送球排出口から排出する揚送装置と、
前記遊技機設置島の上部に配設され、前記揚送装置の揚送球排出口から排出された遊技球を貯留するとともに、該貯留された遊技球を外部に流出させる２つの流出部を備える上部タンクと、
前記上部タンクの流出部から流出された遊技球を前記複数の遊技機に供給する供給樋と、
を備える遊技機設置島であって、
前記上部タンクは、
互いに対向するように離間配置された一対の第１側板と、該第１側板と直交する向きに互いに対向するように離間配置された一対の第２側板と、により側面が構成される横断面略四角形状の箱体からなるとともに、前記２つの流出部は前記第１側板それぞれの方向に互いに離間配置されており、
前記揚送装置における前記揚送球排出口から排出された遊技球を前記第１側板それぞれに向けて誘導する傾斜面を有する第１誘導部材と、
前記第１誘導部材から落下した遊技球を前記第２側板のうちのいずれか一方の側板に向けて誘導する傾斜面を有するとともに、それぞれの前記傾斜面が互いに逆方向に向けて傾斜するように設けられた一対の第２誘導部材と、
前記第２誘導部材から落下した遊技球を前記第１側板のうちのいずれか一方の側板に向けて誘導する傾斜面を有するとともに、それぞれの前記傾斜面が互いに逆方向に向けて傾斜するように設けられた一対の第３誘導部材と、
前記一対の第２側板それぞれに設けられ、隣接する遊技機設置島に対して遊技球を流出する流出樋が接続される流出口と、
を備え、
該流出口は、前記第３誘導部材の下方位置に配置される、
ことを特徴とする遊技機設置島。
【請求項２】
前記第１誘導部材の傾斜面には前記遊技球の落下孔が複数形成され、
前記第２誘導部材は前記第１側板それぞれの内面に沿うように配設されているとともに、前記第３誘導部材は前記第２側板それぞれの内面に沿うように配設されている請求項１に記載の遊技機設置島。
【請求項３】
前記上部タンクの底面は、貯留された遊技球を前記２つの流出部それぞれに向けて誘導する傾斜面を備える請求項１または２に記載の遊技機設置島。
【手続補正２】
【補正対象書類名】明細書
【補正対象項目名】０００８
【補正方法】変更
【補正の内容】
【０００８】
上記課題を解決するために、本発明の請求項１に記載の遊技機設置島は、
複数の遊技機が設置される遊技機設置島の下部に配設され、前記遊技機による遊技に使用する遊技球を貯留する下部タンクと、
前記下部タンクに貯留された遊技球を前記遊技機設置島の上部に揚送するとともに、該揚送した遊技球を揚送球排出口から排出する揚送装置と、
前記遊技機設置島の上部に配設され、前記揚送装置の揚送球排出口から排出された遊技球を貯留するとともに、該貯留された遊技球を外部に流出させる２つの流出部を備える上部タンクと、
前記上部タンクの流出部から流出された遊技球を前記複数の遊技機に供給する供給樋と、
を備える遊技機設置島であって、
前記上部タンクは、
互いに対向するように離間配置された一対の第１側板と、該第１側板と直交する向きに互いに対向するように離間配置された一対の第２側板と、により側面が構成される横断面略四角形状の箱体からなるとともに、前記２つの流出部は前記第１側板それぞれの方向に互いに離間配置されており、
前記揚送装置における前記揚送球排出口から排出された遊技球を前記第１側板それぞれに向けて誘導する傾斜面を有する第１誘導部材と、
前記第１誘導部材から落下した遊技球を前記第２側板のうちのいずれか一方の側板に向けて誘導する傾斜面を有するとともに、それぞれの前記傾斜面が互いに逆方向に向けて傾斜するように設けられた一対の第２誘導部材と、
前記第２誘導部材から落下した遊技球を前記第１側板のうちのいずれか一方の側板に向けて誘導する傾斜面を有するとともに、それぞれの前記傾斜面が互いに逆方向に向けて傾斜するように設けられた一対の第３誘導部材と、
前記一対の第２側板それぞれに設けられ、隣接する遊技機設置島に対して遊技球を流出する流出樋が接続される流出口と、
を備え、
該流出口は、前記第３誘導部材の下方位置に配置される、
ことを特徴としている。
この特徴によれば、揚送装置の揚送球排出口から排出された遊技球は、第１誘導部材により第２誘導部材に誘導された後、第２誘導部材により第２側板のうちのいずれか一方の側板に向けて誘導され、さらに第３誘導部材により第１側板のうちのいずれか一方の側板に向けて誘導される。これにより、遊技球がいずれか一方の流出部から集中的に流出することがあっても、遊技球が第１側板の一方側に偏った状態で残存することがないので、上部タンク内に遊技球を残存させることなく満遍なく流出させて遊技機に供給することができる。また、遊技球が第２側板の一方側に偏って誘導されたまま残存することを回避することができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明の請求項２に記載の遊技機設置島は、請求項１に記載の遊技機設置島であって、
前記第１誘導部材の傾斜面には前記遊技球の落下孔が複数形成され、
前記第２誘導部材は前記第１側板それぞれの内面に沿うように配設されているとともに、前記第３誘導部材は前記第２側板それぞれの内面に沿うように配設されていることを特徴としている。
この特徴によれば、第１誘導部材の傾斜面を流下する遊技球の一部が落下孔から落下するとともに、上部タンクの内部における第１側板及び第２側板付近の遊技球が第２誘導部材及び第３誘導部材により流動することになるので、遊技球を偏り無く上部タンクの内部における中央部に貯留することができる。
【手続補正５】
【補正対象書類名】明細書
【補正対象項目名】００１１
【補正方法】変更
【補正の内容】
【００１１】
本発明の請求項３に記載の遊技機設置島は、請求項１または２に記載の遊技機設置島であって、前記上部タンクの底面は、貯留された遊技球を前記２つの流出部それぞれに向けて誘導する傾斜面を備えることを特徴としている。
この特徴によれば、上部タンクの底面上に遊技球が残存することを防止することができる。
【手続補正６】
【補正対象書類名】明細書
【補正対象項目名】００１２
【補正方法】削除
【補正の内容】
【手続補正７】
【補正対象書類名】明細書
【補正対象項目名】００３９
【補正方法】変更
【補正の内容】
【００３９】
一方の側板５１の外面所定箇所には、前記揚送装置３２５を上部タンク３の内部方向に収容する上下方向に延びる収容凹部５４が内部に向けて凹設されている。また、前後の両側板５１、すなわち、当該遊技機設置島１に隣接配置される他の遊技機設置島１’の上部タンク３と対向する対向面には、前述した受渡し樋４００、４０１の端部が接続される流入口５５ａ、５５ｂ及び流出口５６ａ、５６ｂが形成されている。流入口５５ａ、５５ｂは、側板５１の長手方向に並設される２つの流入口５５ａ、５５ｂからなり、これら流入口５５ａ、５５ｂは、側板５１における底板５２の配置位置よりも下方位置に形成されている。また、流出口５６ａ、５６ｂは、側板５１の長手方向に並設される２つの流出口５６ａ、５６ｂからなり、これら流出口５６ａ、５６ｂは、側板５１における底板５２の配置位置よりも上方位置に形成されている。すなわち、流入口５５ａ、５５ｂは流出口５６ａ、５６ｂよりも下方に形成されている。
【手続補正８】
【補正対象書類名】明細書
【補正対象項目名】０１１０
【補正方法】変更
【補正の内容】
【０１１０】
本発明の請求項１は、複数の遊技機（パチンコ機２）が設置される遊技機設置島（１、１’）の下部に配設され、前記遊技機による遊技に使用する遊技球（パチンコ球）を貯留する下部タンク（９Ｌ、９Ｒ）と、前記下部タンクに貯留された遊技球を前記遊技機設置島の上部に揚送するとともに、該揚送した遊技球を揚送球排出口（３２８）から排出する揚送装置（３２５）と、前記遊技機設置島の上部に配設され、前記揚送装置にて揚送された遊技球を貯留するとともに、該貯留された遊技球を外部に流出させる２つの流出部（流出路５３）を備える上部タンク（３）と、前記上部タンクの流出部から流出された遊技球を前記複数の遊技機に供給する供給樋（可動部材７０、供給樋４Ｌ、４Ｒ）と、を備える遊技機設置島であって、前記上部タンクは、互いに対向するように離間配置された一対の第１側板（５０）と、該第１側板と直交する向きに互いに対向するように離間配置された一対の第２側板（５１）と、により側面が構成される横断面略四角形状の箱体からなるとともに、前記２つの流出部は前記第１側板それぞれの方向に互いに離間配置されており、前記揚送装置における前記揚送球排出口から排出された遊技球を前記第１側板それぞれに向けて誘導する傾斜面を有する第１誘導部材（第１誘導板６１）と、前記第１誘導部材から落下した遊技球を前記第２側板のうちのいずれか一方の側板に向けて誘導する傾斜面を有するとともに、それぞれの前記傾斜面が互いに逆方向に向けて傾斜するように設けられた一対の第２誘導部材（第２誘導板６３ａ、６３ｂ）と、前記第２誘導部材から落下した遊技球を前記第１側板のうちのいずれか一方の側板に向けて誘導する傾斜面を有するとともに、それぞれの前記傾斜面が互いに逆方向に向けて傾斜するように設けられた一対の第３誘導部材（第３誘導板６４ａ、６４ｂ）と、前記一対の第２側板それぞれに設けられ、隣接する遊技機設置島に対して遊技球を流出する流出樋（受渡し樋４００，４０１）が接続される流出口（流出口５６ａ、５６ｂ）と、を備え、該流出口は、前記第３誘導部材の下方位置に配置される。
【手続補正９】
【補正対象書類名】明細書
【補正対象項目名】０１１１
【補正方法】削除
【補正の内容】
【手続補正１０】
【補正対象書類名】明細書
【補正対象項目名】０１１２
【補正方法】変更
【補正の内容】
【０１１２】
本発明の請求項２は、前記第１誘導部材（第１誘導板６１）の傾斜面には前記遊技球の落下孔（６２）が複数形成され、前記第２誘導部材（第２誘導板６３ａ、６３ｂ）は前記第１側板（５０）それぞれの内面に沿うように配設されているとともに、前記第３誘導部材（第３誘導板６４ａ、６４ｂ）は前記第２側板（５１）それぞれの内面に沿うように配設されている。
【手続補正１１】
【補正対象書類名】明細書
【補正対象項目名】０１１３
【補正方法】変更
【補正の内容】
【０１１３】
本発明の請求項３は、前記上部タンク（３）の底面（底板５２上面）は、貯留された遊技球を前記２つの流出部（流出路５３）それぞれに向けて誘導する傾斜面を備える。
【手続補正１２】
【補正対象書類名】明細書
【補正対象項目名】０１１４
【補正方法】削除
【補正の内容】
【手続補正１３】
【補正対象書類名】図面
【補正対象項目名】図３
【補正方法】変更
【補正の内容】
【図３】
2005125015.tif 000001
【手続補正１４】
【補正対象書類名】図面
【補正対象項目名】図７
【補正方法】変更
【補正の内容】
【図７】
2005125015.tif 000002